(57)【要約】      （修正有）【課題】一体成形本体を有するペット用キャリーケースを提供する。【解決手段】ペット用キャリーケースは、本体１０及びドア部材３０の組み合わせを備え、前記本体１０は横壁１２及びバックボード１４を有し、前記横壁１２及び前記バックボード１４が一体成形されることにより連続的に連接されて分離しない構造形態が形成される。開口部は前記本体の一側に位置され、前記開口部は前記バックボード１４に対向する。収納空間は前記本体内部に位置され、且つ連接される。複数の通気孔は前記本体に形成され、且つ前記収納空間に連通される。前記ドア部材は前記開口部に開閉可能に装設される。また、少なくとも１つのリブ部３４が前記横壁１２と前記バックボード１４との間に形成され、且つ前記リブ部３４、前記横壁１２及び前記バックボード１４が一体成形される。【選択図】図２
2018134072.tif 000002
【特許請求の範囲】
【請求項１】
横壁及びバックボードを有し、前記横壁及び前記バックボードが一体成形されることにより連続的に連接されて分離しない構造形態が形成される本体と、
前記本体の一側に位置され、前記バックボードに対向する開口部と、
前記本体内部に位置され、且つ前記開口部に連接される収納空間と、
前記本体に形成され、且つ前記収納空間に各々連通される複数の通気孔と、
前記開口部に開閉可能に装設されるドアドア部材と、を備えることを特徴とする一体成形される本体を有するペット用キャリーケース。
【請求項２】
リブ部を更に備え、前記リブ部、前記横壁及び前記バックボードが一体成形されると共に互いに連接されて連続的構造が形成され、前記リブ部は前記横壁と前記バックボードとの間に位置されることを特徴とする、請求項１に記載の一体成形される本体を有するペット用キャリーケース。
【請求項３】
２つのリブ部を更に備え、２つの前記リブ部、前記横壁及び前記バックボードが一体成形されると共に互いに連接されて連続的構造が形成され、２つの前記リブ部は相互に平行するように前記横壁と前記バックボードとの間に位置され、且つ２つの前記リブ部は前記バックボードから突出されることを特徴とする、請求項１に記載の一体成形される本体を有するペット用キャリーケース。
【請求項４】
ハンドル及び補助ケースを更に備え、前記ハンドルは前記本体の一側に配置され、前記補助ケースはベルトを有し、前記補助ケースは前記本体の横壁に載置され、前記ベルトにより前記ハンドルが束縛されることを特徴とする、請求項１に記載の一体成形される本体を有するペット用キャリーケース。
【請求項５】
ハンドル及び補助ケースを更に備え、前記ハンドルは前記本体の一側に配置されると共に２つの前記リブ部の間に位置され、前記補助ケースはベルトを有し、前記補助ケースは前記本体の横壁に載置されると共に２つの前記リブ部の上方に位置され、前記ベルトにより前記ハンドルが束縛されることを特徴とする、請求項３に記載の一体成形される本体を有するペット用キャリーケース。
【請求項６】
前記ドアドア部材は透明な板体であり、且つ前記ドアドア部材と前記横壁との間にはファスナーを有し、前記ファスナーが閉合されることで前記ドアドア部材用により前記開口部が閉じられることを特徴とする、請求項１に記載の一体成形される本体を有するペット用キャリーケース。
【請求項７】
前記本体の前記収納空間内に配置される位置きめストラップを更に備えることを特徴とする、請求項１に記載の一体成形される本体を有するペット用キャリーケース。
【請求項８】
第一本体部材と、第二本体部材と、連結部材とを含み、前記第一本体部材は第一周辺部及び底部を有し、底部が第一周辺部に一体に連接されることにより連続的に連接されると共に分離しない構造形態が形成され、前記第二本体部材は第二周辺部を有し、前記第一周辺部は前記連結部材により前記第二周辺部に結合される本体と、
前記本体の一側に位置される開口部と、
前記本体内部に位置されると共に前記開口部に連通される収納空間と、
前記本体に形成されると共に前記収納空間に連通される複数の通気孔と、
前記開口部に開閉可能に装設されるドア部材と、を備えることを特徴とする一体成形される本体を有するペット用キャリーケース。
【請求項９】
第一本体部材と、第二本体部材と、連結部材とを含み、前記第一本体部材は第一周辺部及び第一側面部を有し、第一側面部が第一周辺部に一体に連接されることにより連続的に連接されると共に分離しない構造形態が形成され、前記第二本体部材は第二周辺部及び第二側面部を有し、第二側面部が第二周辺部に一体に連接されることにより連続的に連接されると共に分離しない構造形態が形成され、前記第一周辺部は前記連結部材により前記第二周辺部に結合され、前記第一側面部が前記第一側面部に対向させる本体と、
前記本体の一側に位置される開口部と、
前記本体内部に位置されると共に前記開口に連通される収納空間と、
前記本体に形成されると共に前記収納空間に連通される複数の通気孔と、
前記開口部に開閉可能に装設されるドア部材と、を備えることを特徴とする一体成形される本体を有するペット用キャリーケース。
【請求項１０】
前記ドア部材はメッシュであることを特徴とする請求項８または９に記載の一体成形される本体を有するペット用キャリーケース。
【発明の詳細な説明】
【技術分野】
【０００１】
本発明は、ペット用品の分野に関し、更に詳しくは、一体成形される本体を有するペット用キャリーケースに関する。
【背景技術】
【０００２】
ペット用キャリーケースまたはペット用キャリーバッグとは、ペットを入れて持ち運ぶための装置である。上述の「持ち運ぶ」とは、持ち抱える、背負う、引っ張る等の方式を含む。ペットが前記ペット用キャリーケースまたはペット用キャリーバッグ内に入れられるため、前記ペット用キャリーケースまたはペット用キャリーバッグの表面には通気孔を有する。
【０００３】
従来の特許文献１では、例えば、ペット用キャリーケースこと発明が記載されている。前記ペット用キャリーケースは、上ケース体と、下ケース体と、ドア部材とを備える。前記上ケース体及び前記下ケース体は分離及び結合可能であり、前記上ケース体及び前記下ケース体の結合は複数のロック部材により達成される。各前記ロック部材が解除されることで、前記上ケース体及び前記下ケース体が分離される。上述のペット用キャリーケースにはハンドルが配置され、使用者が引っ張ることで前記ペット用キャリーケースの持ち運びができる。
【０００４】
なお、特許文献２にはペットトロリー（pet trolley）と記載されている。前記ペットトロリーは、上ケース体及び下ケース体がファスナーにより接合されてケース体が構成される。ハンドルが前記ケース体の一側に配置され、複数の車輪が前記ケース体の底部に装設される。これにより、使用者が前記ペット用キャリーケースを引っ張ることができるようになる。
【発明の概要】
【発明が解決しようとする課題】
【０００５】
しかしながら、前述した従来のペット用品では、すなわち、前記ペット用キャリーケースは前記上ケース体が前記下ケース体に結合されるため、前記ペットが前記ペット用キャリーケースにぶつかったり、前記ペット用キャリーケースが外力がを受けると前記上ケース体及び前記下ケース体が分離してしまう問題が発生した。そこで、本発明者は上記の欠点が改善可能と考え、鋭意検討を重ねた結果、合理的設計で上記の課題を効果的に改善する本発明の提案に到った。
【０００６】
かかる従来の実情に鑑みて、本発明は、簡単な構造及び良好な構造強度を有する一体成形される本体を有するペット用キャリーケースを提供することを主な目的とする。
【０００７】
また、本発明は、収納及び収納空間の最適化効果を有する一体成形される本体を有するペット用キャリーケースを提供することを他の目的とする。
【課題を解決するための手段】
【０００８】
上述した課題を解決し、目的を達成するために、本発明に係る一体成形される本体を有するペット用キャリーケースの特徴は、本体及びドアドア部材の組み合わせを備える。前記本体は横壁及びバックボードを有し、前記横壁及び前記バックボードが一体成形されることにより連続的に連接されて分離しない構造形態が形成される。開口部は前記本体の一側に位置され、前記開口部は前記バックボードに対向する。収納空間は前記本体内部に位置され、且つ前記収納空間は前記開口部に連接される。複数の通気孔は前記本体に形成され、且つ各前記通気孔は前記収納空間に連通される。前記ドアドア部材は前記開口部に開閉可能に装設される。
【０００９】
好ましくは、少なくとも１つのリブ部が前記横壁と前記バックボードとの間に形成される。また、前記リブ部、前記横壁及び前記バックボードは一体成形され、これにより前記本体の構造強度が高まる。
【図面の簡単な説明】
【００１０】
【図１】本発明の第１実施形態によるペット用キャリーケースを説明する外観斜視図である。
【図２】本発明の第１実施形態によるペット用キャリーケースを他の角度から見た外観斜視図である。
【図３】本発明の第１実施形態のドアドア部材が開かれた状態を示す概略図である。
【図４】本発明の第１実施形態のハンドルが配置される構成図である。
【図５】本発明の第１実施形態の補助ケースが配置される組み合わせ図である。
【図６】本発明の第１実施形態の補助ケースが本体内部に収納される概略図である。
【図７】本発明の第２実施形態によるペット用キャリーケースを示す分解図である。
【図８】本発明の第２実施形態によるペット用キャリーケースを示す組み合わせ図である。
【図９】本発明の第３実施形態によるペット用キャリーケースを示す組み合わせ図である。
【図１０】本発明の第４実施形態によるペット用キャリーケースを示す分解図である。
【図１１】本発明の第４実施形態によるペット用キャリーケースを示す組み合わせ図である。
【発明を実施するための形態】
【００１１】
以下に図面を参照して、本発明を実施するための形態について、詳細に説明する。なお、本発明は、以下に説明する実施形態に限定されるものではない。
【実施例】
【００１２】
まず、図１及び図２に示されるように、ペット用キャリーケースは本体１０及びドアドア部材３０を備える。前記本体１０は横壁１２及びバックボード１４を含む。前記横壁１２及び前記バックボード１４が一体成形されることにより連続的に連接されて分離しない構造形態が形成される。前記横壁１２は頂部１６と、底部１８と、２つの側辺部２０及び２２とで構成される。２つの前記側辺部２０及び２２は前記頂部１４及び前記底部１８に各々連接され、これにより前記頂部１６、２つの前記側辺部２０、２２、及び前記底部１８が連接されて連続的な一体構造が形成される。前記本体１０はブロー成形（blow molding）方式で製造される。次いで、前記ドアドア部材３０は透明な板体であり、且つ前記本体１０の一側に配置される。ファスナー３２は前記ドアドア部材３０と前記横壁１２との間に配置される。前記ファスナー３２により前記本体１０及び前記ドアドア部材３０が結合される。このため、前記ファスナー３２が閉合されると前記ドアドア部材３０が閉まった状態になる。
【００１３】
また、図３に示されるように、開口部２４は前記本体１０の一側に位置されるか形成される。前記開口部２４は前記バックボード１４に対向する。収納空間２６は前記本体１０の内部に位置される。前記収納空間２６の一端は前記開口部２４に連接される。複数の通気孔２８が前記本体１０の表面に形成され、特に各前記通気孔２８が前記頂部１６及び２つの前記側辺部２０、２２に分布される。各前記通気孔２８は前記収納空間２６に連通される。前記ドアドア部材３０は前記本体１０の一側に前記開口部１６に対向するように配置され、且つ前記ドアドア部材３０も前記通気孔２８を有する。
【００１４】
さらに、図２に示されるように、少なくとも１つのリブ部３４が前記横壁１２と前記バックボード１４との間に形成される。本実施形態では、２つの前記リブ部３４、前記横壁１２及び前記バックボード１４が一体成形されると共に互いに連接されて連続的構造が形成される。なお、２つの前記リブ部３４は相互に平行するように前記横壁１２と前記バックボード１４との間に位置され、且つ２つの前記リブ部３４は前記バックボード１４から突出される。
【００１５】
続いて、図４に示されるように、ハンドル３６が前記本体１０の一側に配置される。特に、前記ハンドル３６は２つの前記リブ部３４の間に配置される。前記ハンドル３６は伸縮させて長さを変えることができる。
【００１６】
なお、補助ケース３８はベルト４０を有する。前記補助ケース３８は体積が小さいペット用キャリーケースである。前記補助ケース３８は前記本体１０の前記横壁１２の前記頂部１６に載置される。特に、前記補助ケース３８は２つの前記リブ部３４の上方に位置され、且つ前記ベルト４０により前記ハンドル３６が束縛され、前記補助ケース３８が前記ケース体１０に安定的に配置される。
【００１７】
図１乃至図４に示される構造によると、ペットが前記収納空間２６内に入れられ、且つ前記ファスナー３２が閉合されることで前記ドアドア部材３０により前記開口部１６が閉められる。前記本体１０及び前記ドアドア部材３０は共に前記通気孔２８を有するため、前記収納空間２６の内部には良好な通気効果が形成される。次いで、前記横壁１２及び前記バックボード１４が一体に製造され、前記本体１０の内部からでも外部からでも、前記横壁１２及び前記バックボード１４が分離しにくくなり、前記本体１０が良好な構造強度を有する。また、前記ドアドア部材３０は透明な板体であり、ペットが外界の状況を見れるようになるため、前記ペットの不安感が和らげられる。
【００１８】
本発明の他の実施形態の態様では、前記本体１０は一体に製造され、且つ前記開口部１６は前記本体１０の上方に前記底部１８に対向するように形成される。換言すれば、前記本体１０が一体成形され、且つ前記本体に形成される前記開口部１６を少なくとも有し、上述の実施形態の構造と同等の効果を持つ構造となる。また、前記ドアドア部材３０が蓋状或いは帽子状に製造されても、板状のドアドア部材３０と同等の効果を有する構造となる。
【００１９】
図５に示される構造によれば、使用者は前記本体１０及び前記補助ケース３８にペットを別々に入れることで、使用者は同時に２匹のペットを持ち運びことができる。特に、前記リブ部３４により高い強度の支持効果が提供され、ペットが前記補助ケース３８内に入れられ、前記リブ部３４の軸方向に圧下させても、前記本体１０の前記頂部１６が凹まない。換言すれば、前記補助ケース３８の配置状態では、前記本体１０内に位置される他のペットを圧迫させない。
【００２０】
図６に示されるように、前記補助ケース３８は前記本体１０の前記収納空間２６内に納置され、且つ前記ハンドル３６が短縮されて収納される。これにより、使用しない場合は全体的な体積が最小化され、収納空間を節約可能になる。
【００２１】
最後に、図１及び図３に示されるように、位置きめストラップ４２が前記本体１０の前記収納空間２６内に配置される。前記位置きめストラップ４２は弾性伸縮し、且つ前記ペットの首輪を連結させるため、または前記ペットを直接縛り付けるために使用される。これにより、前記ペットがより安定して前記収納空間２６内に収まる。
【００２２】
図７及び図８に示されるように、本発明の第２実施形態に係る本体５０は、第一本体部材５２と、第二本体部材５８と、連結部材６２とを備え、前記第一本体部材５２は第一周辺部５４及び底部５６を有し、底部５６が第一周辺部５４に一体に連接されることにより連続的に連接されると共に分離しない構造形態が形成される。前記第二本体部材５８は連続構造の第二周辺部６０を有する。前記第一周辺部５４は前記連結部材６２により前記第二周辺部６０に結合され、これにより前記第一本体部材５２及び前記第二本体部材５８が上下にドッキングするように結合される構造形式が形成される。
【００２３】
開口部６４は前記本体５０の一側に位置され、例えば、前記開口部６４が前記第二本体部材５８の上面に形成される。収納空間６６（図８参照）は前記本体５０内部に位置されると共に前記開口部６４に連通される。複数の通気孔６７は前記本体５０に形成されると共に前記収納空間６６に連通される。ドア部材６８は前記開口部６４に開閉可能に装設される。前記ドア部材６８はネットでもよい。
【００２４】
図９は本発明の第３実施形態を図示する。前記実施形態と第２実施形態との差異は、前記開口部６４が前記本体５０の一側に形成され、特に同じ側の前記第一周辺部５４及び前記第二周辺部６０に位置される点である。
【００２５】
図１０及び図１１に示されるように、本発明の第４実施形態に係る本体７０は、第一本体部材７２と、第二本体部材７８と、連結部材８４とを備える。前記第一本体部材７２は第一周辺部７４及び第一側面部７６を有し、第一側面部７６が第一周辺部７４に一体に連接されることにより連続的に連接されると共に分離しない構造形態が形成される。前記第二本体部材７８は第二周辺部８０及び第二側面部８２を有し、第二側面部８２が第二周辺部８０に一体に連接されることにより連続的に連接されると共に分離しない構造形態が形成される。前記第一周辺部７４は前記連結部材８４により前記第二周辺部８０に結合され、前記第一側面部７６が前記第一側面部８２に対向する。これにより、前記第一本体部材７２及び前記第二本体部材７８が左右にドッキングするように結合される構造形式が形成される。
【００２６】
開口部８６は前記本体７０の一側に形成され、特に前記開口部８６は前記本体７０の頂部に形成される。収納空間８８（図１１参照）は前記本体７０内部に位置されると共に前記開口部８６に連通される。複数の通気孔９０は前記本体７０に形成されると共に前記収納空間８８に連通される。ドア部材９２は前記開口部８６に開閉可能に装設される。前記ドア部材９２はネットでもよい。
【００２７】
１つ前の実施形態に基づくと、本実施形態に係る前記開口部８６は前記本体７０の同じ側の前記第一周辺部７４及び前記第二周辺部８０の表面に形成される。上述の前記連結部材６２及び８４はファスナー、金属フレーム、ベルト、または類似する性質の連結部材でもよい。また、図４に示されるように、前記本体５０及び７０の底部に複数のタイヤが連結され、及び／或いは側面にハンドルが連結される。
【００２８】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２９】
１０  本体
１２  横壁
１４  バックボード
１６  頂部
１８  底部
２０  側辺部
２２  側辺部
２４  開口部
２６  収納空間
２８  通気孔
３０  ドア部材
３２  ファスナー
３４  リブ部
３６  ハンドル
３８  補助ケース
４０  ベルト
４２  位置きめストラップ
【図１】
2018134072.tif 000003
【図２】
2018134072.tif 000004
【図３】
2018134072.tif 000005
【図４】
2018134072.tif 000006
【図５】
2018134072.tif 000007
【図６】
2018134072.tif 000008
【図７】
2018134072.tif 000009
【図８】
2018134072.tif 000010
【図９】
2018134072.tif 000011
【図１０】
2018134072.tif 000012
【図１１】
2018134072.tif 000013